(57)【要約】【課題】パーソナルコンピューター等のグラフィックボードから出力されるアナログＲＧＢ信号およびＴＶ等の映像信号を受信しデジタル信号変換し表示し、最適な出力画像を得るクロック自動位相調整を行う画像表示装置を提供する。【解決手段】映像信号ＡＤ変換手段３、デジタル信号処理手段６、グラフィック信号ＡＤ変換手段４、ＡＤ変換のサンプリングクロック作成用にグラフィックデータとともに供給される水平同期信号からのクロック発生手段５、デジタル信号処理手段７、２種類の入力信号選択手段８、表示部１３にあわせたデジタル信号スケーリング手段１０、デジタル信号輪郭強調手段１１を備える画像表示装置において、隣接画素の差分のうち１フレーム内の最大値の計算格納手段１２を備え、輪郭強調手段１１は、最大値の差分を用いてグラフィック信号に対するサンプリングクロックの位相調整を行う。【選択図】図１
2007187694.tif 000002
【特許請求の範囲】
【請求項１】
ＴＶ等から入力されたアナログ映像信号をデジタル信号に変換する第１のＡＤ変換手段、第１のＡＤ変換された結果を用いてデジタル信号処理する第１のデジタル信号処理手段、パーソナルコンピューター等から入力されたグラフィック信号をデジタル信号に変換する第２のＡＤ変換手段、第２のＡＤ変換のサンプリングクロック作成用にグラフィックデータとともに供給される水平同期信号からクロックを発生させる手段、ＡＤ変換された結果を用いてデジタル信号処理する第２のデジタル信号処理手段、表示するために上記２種類の入力信号のいずれかを選択する手段、表示部にあわせてデジタル信号をスケーリングする手段、及びデジタル信号の輪郭を強調する手段を備える画像表示装置において、
隣接画素の差分のうち１フレーム内の最大値を計算し格納する手段を備えており、上記輪郭を強調する手段は、１フレーム内の最大値である隣接画素の差分を用いてグラフィック信号に対するサンプリングクロックの位相調整を行うことを特徴とする画像表示装置。
【請求項２】
請求項１記載の画像表示装置において、
上記輪郭を強調する手段が１フレーム内の最大値である隣接画素の差分を用いてサンプリングクロックの位相調整を行うグラフィック信号は、上記スケーリングする手段により表示部の画素数に応じて信号の伸縮を行ったデジタル信号であることを特徴とする画像表示装置。
【発明の詳細な説明】
【技術分野】
【０００１】
本発明は、画像表示装置に関し、特にパーソナルコンピューター等のグラフィックボードから出力されるアナログＲＧＢ信号およびＴＶ等の映像信号を受信しデジタル信号に変換して表示するシステムに関するものであり、特にグラフィック信号に対するＡ／Ｄ変換についてサンプリングクロックの自動位相調整を行うための技術に関する。
【背景技術】
【０００２】
例えば特許文献１で示される技術のように、従来のサンプリングクロック自動調整のために隣接画素の差分を計算し、１フレーム内の最大値を格納する回路はＡＤ変換直後のいわばフロントエンド回路の中に組み込まれている。さらに従来は、ＰＣ系のグラフィック信号を表示する装置は、グラフィック専門の表示装置であり、ＴＶ信号の表示装置はＴＶ専用の表示装置であった。
【特許文献１】特開２０００−８９７０９号公報
【発明の開示】
【発明が解決しようとする課題】
【０００３】
しかしながら、近年では放送と通信の融合が叫ばれ、画像表示装置もＰＣとＴＶの両方を表示可能になってきている。さらに半導体の集積度がますます大きくなり、ＳＯＣ（シリコンオンチップ）が主流となっている現在では、前述のＰＣおよびＴＶ信号の表示における信号処理回路が１チップで実現されてきている。そうした環境の中で、求められている技術は、
１．入力から出力にかけたシステムのトータルとして最適な映像を表示させること。
２．システム内部の回路をできるだけ効率よく使用し、トータルコストを低く抑えること。
である。
【０００４】
本発明は、パーソナルコンピューター等のグラフィックボードから出力されるアナログＲＧＢ信号およびＴＶ等の映像信号を受信しデジタル信号に変換して表示するシステムにおいて、使用回路を有効活用しつつ、システムとして最適な出力画像を得るためのクロック自動位相調整を行う画像表示装置を提供する。
【課題を解決するための手段】
【０００５】
本発明は、ＴＶ等のアナログ映像信号をデジタル信号に変換するＡＤ変換手段、ＡＤ変換された結果を用いてデジタル信号処理する手段、パーソナルコンピューター等のグラフィック信号をデジタル信号に変換するＡＤ変換手段、ＡＤ変換のサンプリングクロック作成用にグラフィックデータとともに供給される水平同期信号からクロック発生させる手段、ＡＤ変換された結果を用いてデジタル信号処理する手段、前述の２種類の入力のいずれかを選択する手段、表示部にあわせてデジタル信号をスケーリングする手段、デジタル信号の輪郭を強調する手段を備えるシステムにおいて、輪郭を強調する手段の中で隣接画素の差分を利用しているものにおいて、１フレーム内の最大の差分値を計算、格納する手段を持ち、その結果を用いてグラフィック信号に対するサンプリングクロックの自動位相調整を行うことを特徴とする。
【０００６】
すなわち、本発明は、ＴＶ等から入力されたアナログ映像信号をデジタル信号に変換する第１のＡＤ変換手段、第１のＡＤ変換された結果を用いてデジタル信号処理する第１のデジタル信号処理手段、パーソナルコンピューター等から入力されたグラフィック信号をデジタル信号に変換する第２のＡＤ変換手段、第２のＡＤ変換のサンプリングクロック作成用にグラフィックデータとともに供給される水平同期信号からクロックを発生させる手段、ＡＤ変換された結果を用いてデジタル信号処理する第２のデジタル信号処理手段、表示するために上記２種類の入力信号のいずれかを選択する手段、表示部にあわせてデジタル信号をスケーリングする手段、及びデジタル信号の輪郭を強調する手段を備える画像表示装置において、隣接画素の差分のうち１フレーム内の最大値を計算し格納する手段を備えており、上記輪郭を強調する手段は、１フレーム内の最大値である隣接画素の差分を用いてグラフィック信号に対するサンプリングクロックの位相調整を行う画像表示装置である。
【０００７】
また、本発明は、上記輪郭を強調する手段が１フレーム内の最大値である隣接画素の差分を用いてサンプリングクロックの位相調整を行うグラフィック信号は、上記スケーリングする手段により表示部の画素数に応じて信号の伸縮を行ったデジタル信号である画像表示装置である。
【発明の効果】
【０００８】
本発明によって、
１．入力から出力にかけたシステムのトータルとして最適な映像を表示させること。
２．システム内部の回路をできるだけ効率よく使用し、トータルコストを低く抑えること。
が可能となる画像表示装置を提供することができる。
【発明を実施するための最良の形態】
【０００９】
本発明を実施するための最良の形態を説明する。
本発明の画像表示装置の実施例について、図面を用いて説明する。
【００１０】
実施例を説明する。図１は、本発明の第１の実施例の画像表示装置の構成の一例を示すブロック図である。図１中の各参照符号は次のものを示す。即ち符号１は、チューナーやビデオデッキから出力されるＣＶＢＳ（コンポジットビデオ）信号のようなアナログ映像信号の入力部である。符号２は、ＰＣ等のグラフィックボードから出力されるグラフィック信号の入力部である。符号３は、映像信号入力部１に入力された映像信号をデジタル信号に変換する第１のＡＤ変換回路である。符号４は、グラフィック信号入力部２に入力されたグラフィック信号をデジタル信号に変換する第２のＡＤ変換回路である。符号５は、グラフィック信号入力部２と同じくＰＣ等のＣＰＵ９から出力される水平同期信号を用いて第２のＡＤ変換回路４に対するサンプリングクロックを生成するＰＬＬ回路であり、生成クロックを３６０度位相変化させるディレイ回路を含む。符号６は、デジタル信号化された映像信号に対してコントラスト等の信号処理を行い、決められたフォーマットで出力する第１のデジタル信号処理部である。符号７は、同様にデジタル信号化されたグラフィック信号に対して、信号処理と出力フォーマットへの変換を行う第２のデジタル信号処理部である。符号８は、表示される信号を映像信号かグラフィック信号かを選択するセレクタである。符号９は、システム全体を制御するＣＰＵである。符号１０は、表示部１３の画素数に応じて信号の伸縮を行うスケーリング処理部であり、例えばスケーラー回路からなる。符号１１は、信号のエッジ部分を検出し、強調を行うエッジ強調回路である。符号１２は、エッジ強調を行うために、隣接画素の差分を計算し、１フレーム内の差分の最大値を格納するエッジ検出部である。符号１３は、デジタル信号を表示する液晶パネル等の表示部である。
【００１１】
符号Ｓ１は、映像信号入力部１から第１のデジタル信号処理部６へ入力されるアナログ映像信号である。符号Ｓ２は、グラフィック信号入力部２から第２のデジタル信号処理部７へ入力されるグラフィック信号である。符号Ｓ３は、第１のＡＤ変換回路３から第１のデジタル信号処理部６へ入力されるデジタル映像信号である。符号Ｓ４は、第２のＡＤ変換回路４から第２のデジタル信号処理部７へ入力されるデジタルグラフィック信号である。符号Ｓ５は、第１のデジタル信号処理部６からセレクタ８へ入力される特定フォーマットに変換された映像信号である。符号Ｓ６は、第２のデジタル信号処理部７からセレクタ８へ入力される特定フォーマットに変換されたグラフィック信号である。符号Ｓ７は、セレクタ８からスケーリング処理部１０へ入力される実際に表示するデジタル信号である。符号Ｓ８は、スケーリング処理部１０からエッジ強調回路１１へ入力される伸縮処理を施した後のデジタル信号である。符号Ｓ９は、エッジ強調回路１１でエッジ強調処理するための隣接画素の差分信号である。符号Ｓ１０は、最終的に表示する信号である。
【００１２】
符号Ｃ１は、ＰＬＬ回路５で生成するサンプリングクロックの位相を３６０度変化させるための制御信号である。符号Ｃ２は、信号Ｃ１に対して制御された結果生成されたサンプリングクロックである。符号Ｃ３は、１フレーム内の隣接画素の差分値で最大の値の信号である。なお図１のブロック図全体において、表示部１３以外はＳＯＣとしてＡＳＩＣ（画像制御ＩＣチップ）構造とされていることもある。
【００１３】
以下、図１を用いて本実施例の画像表示装置の特徴を説明する。まずエッジ強調回路１１であるが、これはＴＶ等の映像信号を処理するシステムには従来から組み込まれている回路である。とくにアンテナからチューナーに入力される信号における周波数特性の劣化、およびビデオテープの長期使用や保管状況による信号の劣化を補うため、映像信号を表示するほとんどのシステムでエッジ強調回路を組み込んでいるといっても過言ではない。ここでエッジ強調回路１１の具体的アルゴリズムであるが、従来より隣接画像の差分を計算し、その差分に対して強調処理を施すことが基本である。よって図１においてもエッジ検出部１２において隣接画素の差分を計算している。しかしながら本実施例におけるエッジ検出部１２では、上記差分のうち１フレーム内の最大値を計算し格納する回路をもつこととする。これによってエッジ強調回路１１単体としては１フレーム内の差分の最大値に応じて強調度合いを変更するという適応型処理が行えるメリットがある。
【００１４】
次にクロックの自動位相調整方法を述べる。自動位相調整に関するアルゴリズムは、従来技術で紹介した特許文献１と同様に、クロック位相を変化させながら１フレーム内の隣接画素の差分の最大値を読み取り、その最大値がもっとも大きくなる位相を最適位相とする方法をとる。従来技術において差分の最大値を計算し格納する部分は、第２のデジタル信号処理部７の回路にあった。これはＡＤ変換直後のデータを評価することにより、サンプリング精度を高めようとする本来の目的からである。しかしながら本実施例では、アルゴリズム自体は同じでも、エッジ強調処理部１１で用いるエッジ検出部１２の回路の結果に基づいて位相調整することにより、システムとしてのコスト削減というメリットがある。
【００１５】
さらに近年の技術革新によって、表示部１３の解像度はさまざまなものが登場してきている。ほとんどの信号は、入力信号の解像度と表示部の解像度が一致しないため、スケーリング処理部１０での処理を施す必要がある。スケーリングはデジタルフィルタとして実装されているが、フィルタのタップ数や係数が出力画像に影響を与えることは周知の事実である。ここで従来ならば第２のデジタル信号処理部７の回路内で差分の最大値を見積もっていたところであるが、本実施例においては、エッジ検出部１２の回路で計算することによって、スケーリング処理を含めたトータルの画質として最適な位相を選択できるメリットが生じる。
【図面の簡単な説明】
【００１６】
【図１】実施例の画像表示装置の構成を示すブロック図である。
【符号の説明】
【００１７】
１  映像信号入力部、２  グラフィック信号入力部、３、４  ＡＤ変換回路、５  ＰＬＬ回路、６、７  デジタル信号処理部、８  セレクタ、９  ＣＰＵ、１０  スケーリング処理部、１１  エッジ強調処理部、１２  エッジ検出部、１３  表示部
【図１】
2007187694.tif 000003